(57)【要約】【課題】錆等の腐食が防止され且つシンプルな構造により構成される脱穀部の穀稈搬送装置を提供することを課題とする。【解決手段】穀稈を挟持搬送する搬送レール２６及びフィードチェーン２４と、搬送レール２６をフィードチェーン２４に対してスプリング３８を介して弾力的に押圧支持する支持ロッド３３と、支持ロッド３３に外装された上記スプリング３８を受け止めるスプリング受３９，４１と、支持ロッド３３及びスプリング３８の外周をカバーする伸縮可能な蛇腹部４２ａを有する筒状のカバー体４２と備えた脱穀部の穀稈搬送装置において、スプリング受３９，４１をワッシャー状又はフランジ３９ｃを有する筒状に形成し、該スプリング受３９，４１の外周とカバー体４２の蛇腹部４２ａ内面側の凹凸とを係合させ、上記スプリング受３９，４１に対するカバー体４２の移動を規制する。【選択図】図２
2008278795.tif 000002
【特許請求の範囲】
【請求項１】
穀稈を挟持搬送する搬送レール（２６）及びフィードチェーン（２４）と、搬送レール（２６）をフィードチェーン（２４）に対してスプリング（３８）を介して弾力的に押圧支持する支持ロッド（３３）と、支持ロッド（３３）に外装された上記スプリング（３８）を受け止めるスプリング受（３９），（４１）と、支持ロッド（３３）及びスプリング（３８）の外周をカバーする伸縮可能な蛇腹部（４２ａ）を有する筒状のカバー体（４２）と備えた脱穀部の穀稈搬送装置において、スプリング受（３９），（４１）をワッシャー状又はフランジ（３９ｃ）を有する筒状に形成し、該スプリング受（３９），（４１）の外周とカバー体（４２）の蛇腹部（４２ａ）内面側の凹凸とを係合させ、上記スプリング受（３９），（４１）に対するカバー体（４２）の移動を規制する脱穀部の穀稈搬送装置。
【請求項２】
カバー体（４２）の片側端部のみをスプリング受（４１）と係合させた請求項１の脱穀部の穀稈搬送装置。
【発明の詳細な説明】
【技術分野】
【０００１】
この発明は、フィードチェーンと搬送レールとにより穀稈を挟持搬送する穀稈搬送装置に関する。
【背景技術】
【０００２】
穀稈を挟持搬送する搬送レール及びフィードチェーンと、搬送レールをフィードチェーンに対してスプリングを介して弾力的に押圧支持する支持ロッドと、支持ロッドに外装された上記スプリングを受け止めるスプリング受とを備えた従来公知の穀稈搬送装置において、支持ロッドやスプリング等への埃や雨水等の付着による錆等の腐食を防止するために、支持ロッド及びスプリングの外周をカバーする伸縮可能な蛇腹部を有する筒状のカバー体を設けた特許文献１に示す穀稈搬送装置が公知となっている。
【特許文献１】特許第３８５３２７７号公報
【発明の開示】
【発明が解決しようとする課題】
【０００３】
しかし、上記文献の脱穀部の穀稈搬送装置は、カバー体のずれを防止するために、カバー体の少なくとも一部分を固定する固定部材（例えば、上記文献の穀稈搬送装置では、カバー体を締付固定する固定バンド）が必要になり、部品点数が増加して構造が複雑になり、製造コストが高くなってしまうという欠点がある。
【課題を解決するための手段】
【０００４】
上記課題を解決するため本発明に係る脱穀部の穀稈搬送装置は、第１に穀稈を挟持搬送する搬送レール２６及びフィードチェーン２４と、搬送レール２６をフィードチェーン２４に対してスプリング３８を介して弾力的に押圧支持する支持ロッド３３と、支持ロッド３３に外装された上記スプリング３８を受け止めるスプリング受３９，４１と、支持ロッド３３及びスプリング３８の外周をカバーする伸縮可能な蛇腹部４２ａを有する筒状のカバー体４２と備えた脱穀部の穀稈搬送装置において、スプリング受３９，４１をワッシャー状又はフランジ３９ｃを有する筒状に形成し、該スプリング受３９，４１の外周とカバー体４２の蛇腹部４２ａ内面側の凹凸とを係合させ、上記スプリング受３９，４１に対するカバー体４２の移動を規制することを特徴としている。
【０００５】
第２に、カバー体４２の片側端部のみをスプリング受４１と係合させたことを特徴としている。
【発明の効果】
【０００６】
以上のように構成される本発明の脱穀部の穀稈搬送装置によれば、支持ロッドに外装されたスプリングを受け止めるスプリング受とカバー体の蛇腹部との係合よって、穀稈の弾力的な押圧搬送によるカバー体のずれが防止されるため、カバー体のずれ防止のためにカバー体の少なくとも一部分を固定する固定部材を別途設ける必要がない。このことにより、装置の構造が簡略化され、組み付けが容易になり、部品点数も減少し、製造コストを低く抑えることが可能になる。
【０００７】
また、カバー体の片側端部のみをスプリング受と係合させることによって、穀稈の弾力的な押圧搬送によるカバー体のずれが防止できるため、装置の構造をさらに簡略化できる。
【発明を実施するための最良の形態】
【０００８】
図１は、本発明の脱穀部の穀稈搬送装置を適用したコンバインの脱穀装置の側面図である。コンバイン（図示しない）の左側に設けられた脱穀装置１（脱穀部）は、上部の脱穀室２と、下部の選別室３と、脱穀部２と選別室３とを区切る選別網４と、選別室３の後方の設けられた排藁の切断処理をするカッター部６と、穀稈を搬送する穀稈搬送装置７とを備えている。
【０００９】
穀稈搬送装置７は、コンバインの前処理部（図示しない）で刈り取られた穀稈を扱室２に沿って後方に搬送する脱穀フィードチェーン８と、脱穀フィードチェーン８により搬送されて排藁となった穀稈をカッター部６まで搬送する排藁搬送部９等とからなる。
【００１０】
扱室２を通過する穀稈は、扱室２内の扱胴１１によって脱穀処理され、籾や屑藁を含む扱降物として、選別網４を漏下して選別室３に送り込まれる。選別室３の前部には唐箕ファン１２、後部には排塵ファン１３がそれぞれ設けられており、選別室３に送り込まれた扱降物は、唐箕ファン１２及び排塵ファン１３によって起風される後方斜め上方向の選別風によって選別室３の後部上側まで吹き上げられる藁屑と、選別風の影響を殆ど受けずに選別室３の下部前側に落下する１番物と、選別風の影響を若干受けて選別室３の下部中央から後側に亘る範囲に落下する２番物とに選別される。藁屑は排塵ファン１３により機体後方から機外に排出される一方で、１番物は籾として１番ラセン１４及び揚穀筒を１６介してコンバインの右側に配置されたグレンタンク１７内に収容され、２番物は２番ラセン１８及び還元筒１９を介して、再び、上部から選別室３内に導入される。
【００１１】
次に、穀稈搬送装置７を構成する排藁搬送部９について説明する。排藁搬送部９は、上記扱胴１１を備えた扱室２後方且つ選別室３の後半部分の上方位置に設置され、排藁の穂先を搬送する穂先搬送体２１と、排藁の株元を搬送する株元搬送体２２とを備えている。
【００１２】
株元搬送体２２は、前後の一対のスプロケット２３，２３に巻回された排藁フィードチェーン２４と、排藁フィードチェーン２４の下側に配置される前後方向の搬送レール２６と、搬送レール２６を排藁フィードチェーン２４に押圧して支持する前後２つの支持部材２７，２７とを備えており、排藁フィードチェーン２４と搬送レール２６との間で排藁の株元を挟持して搬送するように構成されている。
【００１３】
なお、扱胴１１及び排藁搬送部９の上方には、右端部（内側端部）が回動可能に支持された天板２８が設けられている。本脱穀装置１は、天板２８を上方回動させると、扱胴１１及び排藁フィードチェーン２４が天板２８とともに一体的に回動して上方に移動し、扱室３及び搬送レール２６の上方がメンテナンス等のために大きく開放されるように構成されている。
【００１４】
次に、図１〜４に基づいて、支持部材２７を介した搬送レール２６の支持構造について詳述する。各支持部材２７はブラケット２９によって支持されている。ブラケット２９は脱穀装置１のフレーム部１ａの搬送レール２６近傍部分に設けられ、設置孔３１ａが穿設された略水平なプレート部３１を有しており、上記設置孔３１ａに略円筒形状の支持筒３２が挿通固定されている。
【００１５】
支持筒３２は、プレート３１から上下方向に突出した状態で、溶接等でブラケット２９に強固に固定されており、上下が開放されている。この支持筒３２に支持部材２７が挿通支持される。
【００１６】
支持部材２７は、搬送レール２６を支持する支持ロッド３３と、支持ロッド３３の滑り軸受であるブッシュ３４と、支持ロッド３３の外径よりも大きな径を有する略円盤形に形成され支持ロッド３３の上端面に溶接等で固設された受プレート３６と、受プレート３６上に固設された連結プレート３７と、支持ロッド３３に外装され搬送レール２６を排藁フィードチェーン２４側に弾力的に押圧するスプリング３８と、スプリング３８の上下端をそれぞれ受け止める２つのスプリング受３９，４１と、上記支持ロッド３３のスプリング３８が外装された部分を覆って保護するカバー体４２とから構成されている。
【００１７】
連結プレート３７は、正面視略Ｕ字形に形成され、上方に突出した状態で受プレート３６上面に溶接等で固着されており、搬送レール２６に連結される。搬送レール２６は、正面視略逆Ｕ字形に形成され前後方向に延びるフレーム部２６ａと、フレーム部２６ａの上端面に溶接等で固着されたパイプ状且つ前後方向のレール部２６ｂとから構成されており、レール部２６ｂの後端部が下方に向かって湾曲形成されている。上記構成の搬送レール２６は、正面視略逆Ｕ字形のフレーム部２６ａの間に正面視略Ｕ字形の連結プレート３７を嵌め込み、左右方向の連結ピン４３をフレーム部２６ａ及び連結プレート３７に挿通させ、ワッシャー４４を介在させて割りピン４６によって抜け止めすることにより、連結プレート３７に回動可能に連結支持される。
【００１８】
ブッシュ３４は、硬質合成樹脂等からなり、外径が前述した支持筒３２の内径と略同一な上下方向に延びる略円筒形状の筒状部材であり、支持筒３２に挿入支持される。くわえて、ブッシュ３４は、上下端が開放され、支持ロッド３３を軸方向にスライド自在に支持する。ブッシュ３４の上端から若干下側位置には鍔部３４ａが一体的に突設されており、この鍔部３４ａは、外周面からブッシュ３４の軸方向に対して垂直方向に延設されるとともに、外周面に沿って略円形の環状に形成されており、外径が支持筒３２の外径よりも大きくなるように構成されている。
【００１９】
支持ロッド３３は、ブッシュ３４の内径と略同一な外径を有する略円柱状をなし、下端から若干上側位置に外周面に沿うＥリング取付用の取付溝３３ａが切抜形成されている。支持ロッド３３をブッシュ３４上端から挿通することにより、支持ロッド３３にブッシュ３４を取り付ける。なお、支持ロッド３３をブッシュ３４に挿通させる前に、スプリング３８と、上下のスプリング受３９，４１と、カバー体４２とに支持ロッド３３を挿通させる。
【００２０】
上側スプリング受３９は、下方が開放され上端壁に支持ロッド３３の外径と略同一径の挿通孔３９ｂが穿設された略円筒形状に形成されており、周壁内側でスプリング３８外周面の上側部分をホールドするとともに上端壁内面側に形成された受面３９ａによりスプリング３８上端を受け止めるように構成されている。そして、支持ロッド３３の下端部を挿通孔３９ａに挿通させ、上端壁の外側面が受プレート３６の下面と当接する位置まで上方スライドさせる。なお、上記構成の上側スプリング受３９は、受プレート３６と一体形成させてもよい。
【００２１】
スプリング３８は、上側スプリング受３９に支持ロッド３３を挿通させた後に取り付けられるコイル状の圧縮スプリングであり、外径が上側スプリング受３９の内径よりも小さく、内径が支持ロッド３３の外径と略同一になるように形成されており、支持ロッド３３を挿通させた状態で、スプリング３８が支持ロッド外周面上に外装されるように構成されている。支持ロッド３３下端部をスプリング３８上端部から挿通させ、スプリング３８上端が上側スプリング受３９の受面３９ａに当接する位置まで上方スライドさせる。
【００２２】
下側スプリング受４１は、スプリング３８に支持ロッド３３を挿通させた後に取り付けられるワッシャー状の部材であり、内径が支持ロッド３３の外径と略同一且つ外径がブッシュ３４の外径よりも大きくなるように形成されており、上面にスプリング３８下端を受け止める受面４１ａが形成されている。支持ロッド３３下端部を下側スプリング受４１に挿通させ、下側スプリング受４１の上面（受面４１ａ）がスプリング３８下端に当接する位置まで上方スライドさせる。上記構成の下側スプリング受４１は、ブッシュ３４の上端部に一体形成させてもよい。
【００２３】
カバー体４２は、フレキシブルな合成樹脂等の部材からなり、上端部及び下端部を除く全体に蛇腹部４２ａを有し、上下が開放された略円筒形状に成形されており、蛇腹部４２ａの内面の最小径がカバー体４２の蛇腹部４２ａ以外の部分及び上側スプリング受３９の外径と略同一で下側スプリング受４１の外径よりも小さく、スプリング３８の外径よりも大きくなるように、蛇腹部４２ａの内面の最大径が下側スプリング受４１の外径よりも大きくなるように形成されている。
【００２４】
支持ロッド３３の下端部をカバー体４２に挿通させた後、カバー体４２を支持ロッド３３に対して上方移動させ、蛇腹部４２ａ内面側の下端部の凹凸に、下側スプリング受４１の外径を形成する周端を係合させ、下側スプリング受４１に対するカバー体４２の移動を規制する。なお、蛇腹部４２ａによりカバー体４２は伸縮自在に構成されるが、カバー体４２が伸長した場合、蛇腹部４２ａの最大径が縮小するため、蛇腹部４２ａと下側スプリング受４１とはさらに強固に係合される。
【００２５】
支持ロッド３３に上側スプリング受３９、スプリング３８及び下側スプリング４１を取り付けた後、前述したようにブッシュ３４に支持ロッド３３を挿通させる。具体的には、支持ロッド３３をブッシュ３４上端から下端に挿通し、支持ロッド３３下端部をブッシュ３４下端から突出させ、支持ロッド３３の上記取付溝３３ａにＥリングである係止リング４７を取付固定すると、この係止リング４７が支持ロッド３３の外周面から外方に突出した状態になる。上記状態においては、ブッシュ３４に対して支持ロッド３３を上方スライドさせると係止リング４７の上面とブッシュ３４の下端面とが当接して支持ロッド３３のブッシュ３４からの抜けが防止される。
【００２６】
以上のようにして支持部材２７を組み立てると、スプリング３８の上下端が各スプリング受３９，４１の受面３９ａ，４１ａを押圧し、上側スプリング受３９の上端壁外面側が受プレート３６に押圧され、下側スプリング受４１の下面側がブッシュ３４の上端面に押圧される。このことにより、支持ロット３３は、スプリング３８によって、ブッシュ３４の軸方向に沿う上方スライド方向に付勢される。また、支持部材２７の組立状態において、カバー体４２は、下端部がブッシュ３４の鍔部３４ａ上面に受け止められ、上端部が上側スプリング受３９の周面の上下方向中央より下側部分を覆った状態になる。
【００２７】
上記構成の支持部材２７を支持筒３２に支持させる手段について以下に説明する。支持ロッド３３は、ブッシュ３４の鍔部３４ａ下面側が支持筒３２の上端面に当接することにより、支持筒３２に係止される。支持筒３２にブッシュ３４が係止された状態では、支持ロッド３３の下端部が支持筒３２下端側から突出した状態になる。
【００２８】
この状態で、支持ロッド３３下端を外径が支持筒３２の外径と略同一且つ内径が支持ロッド３３の外径と略同一なワッシャー状の抜け止リング４８に挿通させ、支持ロッド３３の軸方向に対して垂直方向のＲピンである抜け止ピン４９を支持ロッド３３下端に挿通させることにより、上記抜け止リング４８の支持ロッド３３からの抜け出しが防止される。そして、抜け止リング４８の上面側が支持筒３２の下端面と当接することにより、支持部材２７の支持筒３２からの抜け出しが防止される。以上のようにして、支持部材２７が支持筒３２に取り付けられる。
【００２９】
なお、抜け止リング４８は、支持ロッド３３の上方スライドは規制するが、下方スライドは規制しないため、ブッシュ３４に対して支持ロッド３３を大きく下方スライドさせると、支持ロッド３３の下端部は支持筒３２に対して大きく下方に突出した状態になる。
【００３０】
上記構成の脱穀部の穀稈搬送装置によれば、前述したように支持ロッド３３が上方スライド方向を付勢され、これにともない搬送レール２６が排藁フィードチェーン２４側に弾力的に付勢される。このことにより、大きさ異なる排藁の株元を、排藁フィードチェーン２４と搬送レール２６との間で弾力的に挟持しながらスムーズに後方搬送することが可能になる。
【００３１】
また、蛇腹部４２ａの下端部が下側スプリング受４１に係合されるため、ブッシュ３４に対して支持ロッド３３を上下スライド移動させた場合でも、カバー体４２の下側部分は下側スプリング受４１に対して殆ど移動せず、カバー体４２の上端部が上側スプリング受４１の外周面上をスライド移動するのみである。このため、カバー体４２が支持ロッド３３及びスプリング３８に対して大きくずれ、支持ロッド３３のスプリング３８が外装された部分が露出するような事態が防止される。
【００３２】
さらに、前後の支持部材２７，２７の抜け止ピン４９を支持ロッド３３の下端部から取り外すことにより、搬送レール２６の脱穀装置からの取り外しが容易且つ簡易にできるとともに、支持部材２７も係止リング４７を支持ロッド３３の取付溝３３ａから取外すことにより容易且つ簡易に分解することができる。これらのことにより、穀稈搬送装置７のメンテナンス性が向上する。
【００３３】
以上、下側スプリング受４１でカバー体４２の蛇腹部４２ａの下端部を係止する例につき説明したが、図５は、下側スプリング受４１でカバー体４２の蛇腹部４２ａの下端部を係止するとともに、上側スプリング受３９でカバー体４２の蛇腹部４２ａの上端部を係止する例につき示している。係止手段について説明すると、略円筒形成に成形された上側スプリング受３９の下端に、径が下側スプリング受４１の外径と略同一な略円形状のフランジ３９ｃを形成する。この上記フランジ３９ｃに、カバー体４２の蛇腹部４２ａ内面側の上端部の凹凸を係合させ、上側スプリング受３９に対するカバー体４２下部の移動を規制する。上下のスプリング受３９，４１をカバー体４２の上端部と下端部にそれぞれ係合させる上記構成によって、支持ロッド３３をブッシュ３４に対してスライドさせると、カバー体４２がそれに応じて伸縮するため、支持ロッド３３及びスプリング３８に対してカバー体４２がずれることがなく、支持ロッド３３のスプリング３８を外装した部分が露出することが確実に防止される。
【００３４】
以上、上側スプリング受３９を筒状に形成する例につき説明したが、図６は、上側スプリング受３９を下側スプリング受４１と同形状のワッシャー状に形成した例につき示している。以下、前述した実施例と異なる構成について説明する。ブッシュ３４の鍔部３４ａは、上端に位置し、フランジ状に形成される。カバー体４２には、上下の端部を含む略全体に亘り蛇腹部４２ａが形成されている。
【００３５】
各スプリング受３９，４１は、ある程度の厚みを有するワッシャー状に成形され、ブッシュ３４上端側に対向しない側の面及び受プレート３６下面側と対抗しない側の面が受面３９ａ，４１ａになり、周面の受面３９ａ，４１ａに連続する側の径に対して、周面の受面３９ａ，４１ａと反対側の面に連続する側の径が略半分程度に形成されており、支持部材２７の組立時において、受プレート３６と上側スプリング受３９の間と、ブッシュ３４の上端面（鍔部３９ａ上面）と下側スプリング受４１の間とに、それぞれ隙間５１，５２が生じる。
【００３６】
この２つの隙間５１，５２にカバー体４２の上端周端及び下端周端をそれぞれ嵌め込むとともに、上下のスプリング受３９，４１に蛇腹部４２ａの上下の端部内周面側をそれぞれ係合させることにより、上下のスプリング受３９，４１に対するカバー体４２全体の移動を規制する。
【００３７】
上記構成の脱穀装置１によれば、上下のスプリング受３９，４１がシンプルな形状に形成されているため、支持ロッド３３に対してカバー体４２のずれを確実に防止することができる支持部材２７を、コストを低く抑えて製造することができる。くわえて、上下のスプリング受３９，４１にカバー体４２を係合させるとともに、上下の隙間５１，５２にカバー体４２の端部を嵌め込み固定するため、より確実に支持ロッド３３に対するカバー体４２のずれが防止される。
【図面の簡単な説明】
【００３８】
【図１】本発明の脱穀部の穀稈搬送装置を適用したコンバインの脱穀装置の側面図である。
【図２】搬送レールの支持構造を示す要部側面図である。
【図３】搬送レールの支持構造を示す要部正面図である。
【図４】支持ロッドの取付け状態を示す分解側面図である。
【図５】搬送レールの支持構造に関する他の実施例を示す要部側面図である。
【図６】搬送レールの支持構造に関する他の実施例を示す要部側面図である。
【符号の説明】
【００３９】
２４  排藁フィードチェーン（フィードチェーン）
２６  搬送レール
３３  支持ロッド
３８  スプリング
３９  上側スプリング受（スプリング受）
３９ｃ  フランジ
４１  下側スプリング受（スプリング受）
４２  カバー体
４２ａ  蛇腹部
【図１】
2008278795.tif 000003
【図２】
2008278795.tif 000004
【図３】
2008278795.tif 000005
【図４】
2008278795.tif 000006
【図５】
2008278795.tif 000007
【図６】
2008278795.tif 000008